(57)【要約】【課題】侵入者によって窓ガラス等が破られた場合でも、クレセント片の開放操作を防止することができるクレセント錠を提供すること。【解決手段】クレセント片２を回動可能に支持する支軸部３を屋内側サッシ枠に固設し、支軸部３に係合することによりクレセント片２の回動を阻止するロック部材４をクレセント片２のレバー２１の内部に摺動可能に配設するとともに、ロック部材４に係合しその摺動を阻止する符号錠５をレバー２１に設ける。【選択図】図１
2006052567.tif 000002
【特許請求の範囲】
【請求項１】
屋外側のサッシ枠に掛止金具を設けるとともに、屋内側のサッシ枠にクレセント片を回動可能に設け、クレセント片をその回動により掛止金具に掛止するようにしたクレセント錠において、クレセント片を回動可能に支持する支軸部を屋内側サッシ枠に固設し、該支軸部に係合することによりクレセント片の回動を阻止するロック部材をクレセント片のレバー内部に摺動可能に配設するとともに、該ロック部材に係合しその摺動を阻止する符号錠を前記レバーに設けたことを特徴とするクレセント錠。
【請求項２】
前記ロック部材を、支軸部側に付勢して摺動可能に配設され、該支軸部に係合するピンと、該ピンに一端が係合し、他端を支軸部側に押圧することによりピンを反支軸部側に移動させるカムと、反支軸部側に付勢して摺動可能に配設され、符号錠が係合するとともに、支軸部側に摺動することによりカムの他端を押圧する操作片とを備えて構成したことを特徴とする請求項１記載のクレセント錠。
【請求項３】
操作片と符号錠のリングとに、係合部を形成したことを特徴とする請求項２記載のクレセント錠。
【発明の詳細な説明】
【技術分野】
【０００１】
本発明は、クレセント錠に関し、特に、不法な侵入者によって窓ガラス等が破られた場合でも、クレセント片の開放操作を防止することができるクレセント錠に関するものである。
【背景技術】
【０００２】
クレセント錠は、主としてアルミサッシのガラス窓やガラス戸に取り付けられており、屋外側のサッシ枠に掛止金具を設けるとともに、屋内側のサッシ枠にクレセント片を回動可能に設け、クレセント片を回動することにより掛止金具に掛止し、ガラス窓やガラス戸を施錠するようにしている。
【０００３】
しかしながら、最近では、侵入者がクレセント錠付近のガラスを割って手を室内側に差し入れ、クレセント片を開放操作することにより、ガラス窓やガラス戸が不正に開けられるという問題が生じている。
【発明の開示】
【発明が解決しようとする課題】
【０００４】
本発明は、上記従来のクレセント錠が有する問題点に鑑み、侵入者によって窓ガラス等が破られた場合でも、クレセント片の開放操作を防止することができるクレセント錠を提供することを目的とする。
【課題を解決するための手段】
【０００５】
上記目的を達成するため、本発明のクレセント錠は、屋外側のサッシ枠に掛止金具を設けるとともに、屋内側のサッシ枠にクレセント片を回動可能に設け、クレセント片をその回動により掛止金具に掛止するようにしたクレセント錠において、クレセント片を回動可能に支持する支軸部を屋内側サッシ枠に固設し、該支軸部に係合することによりクレセント片の回動を阻止するロック部材をクレセント片のレバー内部に摺動可能に配設するとともに、該ロック部材に係合しその摺動を阻止する符号錠を前記レバーに設けたことを特徴とするクレセント錠。
【０００６】
この場合において、前記ロック部材を、支軸部側に付勢して摺動可能に配設され、該支軸部に係合するピンと、該ピンに一端が係合し、他端を支軸部側に押圧することによりピンを反支軸部側に移動させるカムと、反支軸部側に付勢して摺動可能に配設され、符号錠が係合するとともに、支軸部側に摺動することによりカムの他端を押圧する操作片とを備えて構成することができる。
【０００７】
また、操作片と符号錠のリングとに、係合部を形成することができる。
【発明の効果】
【０００８】
本発明のクレセント錠によれば、屋外側のサッシ枠に掛止金具を設けるとともに、屋内側のサッシ枠にクレセント片を回動可能に設け、クレセント片をその回動により掛止金具に掛止するようにしたクレセント錠において、クレセント片を回動可能に支持する支軸部を屋内側サッシ枠に固設し、該支軸部に係合することによりクレセント片の回動を阻止するロック部材をクレセント片のレバー内部に摺動可能に配設するとともに、該ロック部材に係合しその摺動を阻止する符号錠を前記レバーに設けることから、該符号錠によりロック部材を介してクレセント片をロックすることができ、これにより、侵入者によって窓ガラス等が破られた場合でも、クレセント片の開放操作を防止し、ガラス窓やガラス戸の不正な解錠を防止することができる。
また、居住者が解錠するときは、符号錠の符号を合わせることによりロック部材を解放し、この状態でレバーを操作してクレセント片を回転させることにより、クレセント片を掛止金具から容易に離脱させることができる。
そして、クレセント片をロックするために符号錠を用いるようにしているため、不正な解錠を効果的に防止しながら、鍵の紛失等の問題がなく、使用勝手のよいクレセント錠を提供することができる。
【０００９】
また、前記ロック部材を、支軸部側に付勢して摺動可能に配設され、該支軸部に係合するピンと、該ピンに一端が係合し、他端を支軸部側に押圧することによりピンを反支軸部側に移動させるカムと、反支軸部側に付勢して摺動可能に配設され、符号錠が係合するとともに、支軸部側に摺動することによりカムの他端を押圧する操作片とを備えて構成することにより、符号錠の符号を合わせて解放した操作片を支軸部側に押し込むことによって、カムを介してピンを支軸部から離脱させることができ、この状態でレバーを操作することにより、クレセント片を掛止金具から容易に離脱させることができる。
【００１０】
また、操作片と符号錠のリングとに、係合部を形成することにより、符号錠のリングを回転操作する際の位置決めと、リングの係止を確実に行うことができる。
【発明を実施するための最良の形態】
【００１１】
以下、本発明のクレセント錠の実施の形態を図面に基づいて説明する。
【実施例１】
【００１２】
図１〜図２に、本発明のクレセント錠の一実施例を示す。
このクレセント錠は、屋外側のサッシ枠に掛止金具（図示省略）を設けるとともに、屋内側のサッシ枠にクレセント片２を回動可能に設け、該クレセント片２をその回動により掛止金具に掛止するようにしている。
そして、このクレセント錠は、クレセント片２を回動可能に支持する支軸部３を屋内側サッシ枠に固設し、該支軸部３に係合することによりクレセント片２の回動を阻止するロック部材４をクレセント片２のレバー２１の内部に摺動可能に配設するとともに、該ロック部材４に係合しその摺動を阻止する符号錠５を前記レバー２１に設けている。
【００１３】
掛止金具は、図では省略しているが、例えば、屋外側のサッシ枠に形成した舌片状の通常一般のものからなり、クレセント片２の鍔部（図示省略）が掛合する。
【００１４】
クレセント片２は、屋内側のサッシ枠に、固定台座１を介して、該固定台座１に配設した支軸部３によって回動可能かつ非分離状態に枢着（枢着機構は図示省略）されており、側方に張り出した鍔部２３が掛止金具に掛止されるとともに、鍔部を切り欠いた位置に回転することにより掛止金具を解放する。
クレセント片２は、その回動中心となるボス部２２と、該ボス部２２から一体に延設された中空のレバー２１とを備えている。
【００１５】
支軸部３は、クレセント片２のボス部２２が回動可能に外嵌する円筒状のものからなり、固定台座１に配設されている。
この支軸部３の外周部には、後述するロック部材４のピン４１が嵌合するスプライン３１が全周にわたって形成されている。
スプライン３１は、クレセント片２が掛止金具に掛止する角度にあればよいが、建付条件によってはこの掛止角度が変わるため、本実施例では支軸部３の全周に設けている。
この場合、ロック部材４のピン４１は支軸部側に付勢されているため、このスプライン３１に自動的に嵌合しようとするが、クレセント片２を回動させるときは、後述する操作片を押し込むことによりピン４１を後退させながらレバー２１を操作するので、ピン４１がスプライン３１に噛み込むことはない。
【００１６】
ロック部材４は、支軸部側に付勢して摺動可能に配設され、該支軸部３に係合するピン４１と、該ピン４１に一端が係合し、他端を支軸部側に押圧することによりピン４１を反支軸部側に移動させるカム４２と、反支軸部側に付勢して摺動可能に配設され、符号錠５が係合するとともに、支軸部側に摺動することによりカム４２の他端を押圧する操作片４３と、操作片４３とピン４１の間に配設され、該操作片４３とピン４１をそれぞれ離反方向に付勢するばね４４とを備えている。
ピン４１は、ボス部２２に設けられた貫通孔を介して支軸部３のスプライン３１に係合するもので、胴部に形成された切欠部４１ａにカム４２の一端が係合している。
カム４２は半月状のものからなり、その円弧部がボス部２２の外面に揺動可能に支持されている。このカム４２は、一端がピン４１の切欠部４１ａに係合するとともに、他端が操作片４３と対向するように配設されている。
操作片４３は、レバー２１内部で外側に偏倚してカム４２の他端と対向する押し片４５と、該押し片４５から内側に偏倚してレバー２１の先端部から突出する操作片本体４６と、該操作片本体４６からレバー２１内部に折り返されたロックバー４７とを一体に備えている。
ロックバー４７には、符号錠５が係合するキー４７ａが形成されている。また、操作片本体４６は、レバー２１に固定された規制部材４８によりその摺動範囲が規制されている。
【００１７】
符号錠５は、操作片４３のロックバー４７に嵌挿されるとともにレバー２１の外側に一部が突出する複数のリング５１を備え、各リング５１は、ロックバー４７のキー４７ａと一致するキー溝５１ａを嵌挿孔の一部に備えている。
なお、各リング５１には、リング５１の回転操作を行うための操作片５２を突設するようにしている。
そして、各リング５１を回転させて符号を揃えることにより、キー溝５１ａをロックバー４７のキー４７ａと一致させ、ロックバー４７を解放することによって操作片４３を支軸部側に摺動可能に解放する。
【００１８】
また、各リング５１の符号間には、操作片本体４６に形成した突起４６ａと係合する係合溝５１ｂを形成する。
これにより、符号錠５のリング５１を回転操作する際の位置決め（リング５１が所定位置に来たときに回転抵抗が変化する。）と、リング５１の係止を確実に行うことができる。
【００１９】
次に、本実施例のクレセント錠の作用を説明する。
図１（ａ）に示すように、クレセント片２が掛止金具に掛止する位置で、支軸部側に付勢されたロック部材４のピン４１が、支軸部３のスプライン３１に嵌合することにより、クレセント片２の回動は阻止されている。
そして、符号錠５のリング５１を符号が揃わない位置に回転させることにより、リング５１が操作片４３の摺動を阻止して、ピン４１の嵌合状態を保持し、これにより、侵入者によって窓ガラス等が破られた場合でも、クレセント片２の開放操作を防止し、不正な解錠を防止することができる。
一方、居住者が符号錠５のリング５１を合わせて操作片４３を解放すると、図１（ｂ）に示すように、操作片４３を支軸部側に押し込むことができ、これにより、操作片４３がカム４２を介してピン４１を引き抜き方向に摺動させ、支軸部３から離脱させる。
このように、操作片４３を押し込んだ状態でレバー２１を操作すると、クレセント片２を回転させることができ、これにより、クレセント片２を掛止金具から離脱させることができる。
【００２０】
かくして、上記各実施例のクレセント錠は、屋外側のサッシ枠に掛止金具を設けるとともに、屋内側のサッシ枠にクレセント片２を回動可能に設け、クレセント片２をその回動により掛止金具に掛止するようにしたクレセント錠において、クレセント片２を回動可能に支持する支軸部３を屋内側サッシ枠に固設し、該支軸部３に係合することによりクレセント片２の回動を阻止するロック部材４をクレセント片２のレバー２１内部に摺動可能に配設するとともに、該ロック部材４に係合しその摺動を阻止する符号錠５を前記レバー２１に設けることから、該符号錠５によりロック部材４を介してクレセント片２をロックすることができ、これにより、侵入者によって窓ガラス等が破られた場合でも、クレセント片２の開放操作を防止し、ガラス窓やガラス戸の不正な解錠を防止することができる。
また、居住者が解錠するときは、図１（ｂ）に示すように、符号錠５の符号を合わせることによりロック部材４を解放し、この状態でレバー２１を操作してクレセント片を回転させることにより、クレセント片２を掛止金具から容易に離脱させることができる。
そして、クレセント片２をロックするために符号錠５を用いるようにしているため、不正な解錠を効果的に防止しながら、鍵の紛失等の問題がなく、使用勝手のよいクレセント錠を提供することができる。
【００２１】
この場合、前記ロック部材４を、支軸部側に付勢して摺動可能に配設され、該支軸部３に係合するピン４１と、該ピン４１に一端が係合し、他端を支軸部側に押圧することによりピン４１を反支軸部側に移動させるカム４２と、反支軸部側に付勢して摺動可能に配設され、符号錠５が係合するとともに、支軸部側に摺動することによりカム４２の他端を押圧する操作片４３とを備えて構成することにより、図１（ｂ）に示すように、符号錠５の符号を合わせて解放した操作片４３を支軸部側に押し込むことによって、カム４２を介してピン４１を支軸部３から離脱させることができ、この状態でレバー２１を操作することにより、クレセント片２を掛止金具から容易に離脱させることができる。
【００２２】
また、各リング５１の符号間に、操作片本体４６に形成した突起４６ａと係合する係合溝５１ｂを形成することにより、符号錠５のリング５１を回転操作する際の位置決め（リング５１が所定位置に来たときに回転抵抗が変化する。）と、リング５１の係止を確実に行うことができる。
【００２３】
以上、本発明のクレセント錠について、その実施例に基づいて説明したが、本発明は上記実施例に記載した構成に限定されるものではなく、例えば、ピンと操作片を一体に形成し、引き抜き側に操作することにより支軸部との係合を解くように構成するなど、その趣旨を逸脱しない範囲において適宜その構成を変更することができる。
【産業上の利用可能性】
【００２４】
以上、本発明のクレセント錠は、侵入者によって窓ガラス等が破られた場合でも、クレセント片の開放操作を防止するという特性を有していることから、ガラス窓やガラス戸の不正解錠防止の用途に好適に用いることができる。
【図面の簡単な説明】
【００２５】
【図１】本発明のクレセント錠の一実施例を示し、（ａ）は施錠をする際の断面図、（ｂ）は解錠する際の断面図（図２のＡ−Ａ断面図）である。
【図２】本発明のクレセント錠のクレセント片の外観図である。
【符号の説明】
【００２６】
１    固定台座
２    クレセント片
２１  レバー
２２  ボス部
２３  鍔部
３    支軸部
３１  スプライン
４    ロック部材
４１  ピン
４２  カム
４３  操作片
４４  ばね
４５  押し片
４６  操作片本体
４６ａ  突起（係合部）
４７  ロックバー
４７ａ  キー
４８  規制部材
５    符号錠
５１  リング
５１ａ  キー溝
５１ｂ  係合溝（係合部）
【図１】
2006052567.tif 000003
【図２】
2006052567.tif 000004